【事件の表示】
　平成５年　特　許　願　第１３６３９０号「光結合装置」拒絶査定に対する審判事件（平成６年６月１０日出願公開、特開平６−１６４８２５）について、次のとおり審決する。
【結論】
　本件審判の請求は、成り立たない。
【理由】
１．手続きの経緯・本願発明の要旨
　本願は、出願日が平成１年１２月１日である実願平１−１３９５０７号を特許出願に変更したものであって、その請求項１に係る発明は、平成１１年５月１１日付けの手続補正書により補正された明細書及び図面の記載からみて、その特許請求の範囲の請求項１に記載された次のとおりのものと認める。
「赤外光を発光する複数の発光素子からなる第１の発光素子アレイと、
　赤色光を発光する複数の発光素子からなる第２の発光素子アレイと、
　それぞれ第１あるいは第２のレベルを有する第１及び第２の制御信号の第２のレベルに応答して前記第１及び第２の発光素子アレイの出力を順次切換える第１及び第２の回路と、
　前記第１及び第２の発光素子アレイの光を受光する受光素子アレイと、
　前記第１及び第２の制御信号に同期した第３の制御信号に応答して前記第１及び第２の発光素子アレイの光を受光し、かつ前記第１の発光素子アレイの光を受光すると第１の出力信号を出力し、前記第２の発光素子アレイの光を受光すると第２の出力信号を出力する第３の回路と、
　前記第１及び第２の制御信号に同期させ、前記第１及び第２の出力信号を順次切換えて出力端子へ転送する第４の回路とから構成され、
　同一基板上に形成される前記第１及び第２の発光素子アレイと前記受光素子アレイであって、前記第１及び第２の発光素子アレイ間に前記受光素子アレイを介在させるようにし、
　前記第１あるいは第２の制御信号のどちらか一方が第１のレベルから第２のレベルになる前に該第１及び第２の制御信号はともに第１のレベルとなることを特徴とする光結合装置。」
２．引用例の記載
　これに対して、当審で平成１１年３月２日付けで通知した拒絶の理由に引用した実願昭６２−１９５０５３号（実開平１−１００５６６号公報参照）のマイクロフィルム（以下、第１引用例という）、特開昭５１−８４６９５号公報（以下、第２引用例という）、特開平１−１６２３６６号公報（以下、第３引用例という）には、次の事項が記載されている。
イ．第１引用例
Ａ．「この考案は、例えば紙幣またはその他の精巧な被検出物を読み取るための色特性抽出センサに関する」（第２頁第１０行〜第１２行）
Ｂ．線状発光素子アレイについて
「前述した第一の発光素子１１を約２（ｍｍ）の配設ピッチで配列せしめた第一線状発光素子アレイ２７と、同様にして第二の発光素子１３を同一の配設ピッチで配した第二線状発光素子アレイ２９とによって、発光部３１を構成」（第１１頁第４行〜第９行）する点が記載されている。ここで、１１は例えば赤色ＬＥＤチップから成る第一の発光素子、１３は例えば赤外ＬＥＤチップから成る第二の発光素子」（第３頁第７行〜第９行）であることが示されている。
Ｃ．点燈制御回路について
「これら２つの線状発光素子アレイ２７及び２９には、各々の線状発光素子アレイの点灯が重複しないような動作制御（後段で詳述）を行うための点灯制御回路３５を接続する。この点灯制御回路の動作は従来周知の回路構成により達成できるものであり、前述した混色を回避するために設けられる。」（第１１頁第１９行〜第１２頁第５行）
「この第１実施例に係る発光部３１は、例えば或る主走査時間において、まず、点灯制御回路３５の動作により、第一線状発光素子アレイ２７のみが点灯（発光）せしめられる。・・・次に、点灯制御回路３５の動作によって上述の第一線状発光素子アレイ２７を消灯した後、当該回路３５の動作により、第二線状発光素子アレイ２９を点灯する。」（第１２頁第６行〜第１３頁第３行）
Ｄ．受光素子アレイについて
「このロッドレンズアレイ３７により点状に集束せしめられた反射光ｒ５及びｒ６は、これら反射光ｒ５と反射光ｒ６との双方に感度を有し、かつ、受光素子アレイ３９上に配設された前述の受光素子１９上に、別個の時間単位において結像される。」（第１４頁第２０行〜第１５頁第５行）
ロ．第２引用例
Ｅ．「本発明は紙幣等の真偽を光学的に識別する新規な装置に関するものである。」（第１頁右欄第１３行〜第１４行）
Ｆ．回路の一実施例について
「赤色発光ダイオード（２）および赤外発光ダイオード（３）は、交互点燈回路（６）により交互に点灯される。・・・発光ダイオードからの放射光は被検査紙幣（１）の検査部に照射され、ここからの反射光はフォトダイオード（４）により光電変換された後、増幅器により増幅される。・・・このような増幅器（５）からの出力波形（１６）は、交互点燈回路（６）からのタイミングパルスにより駆動されるスイッチング回路（８）により、赤色光を照射した場合の出力（１７）（ＶＲ）と、赤外光を照射した場合の出力（１８）（ＶＩＲ）とに分離される。」（第４頁左上欄第１８行〜右上欄第１５行）
ハ．第３引用例
Ｇ．「本発明はファクシミリスキャナ等に用いられる光センサーの改良に関する。」（第１頁左欄第１０行〜第１１行）
Ｈ．従来技術について
「従来のスキャナーにあっては、センサーアレイと光源が別々に組み合わされている」（第１頁右欄第１行〜第３行）
Ｉ．構成について
「本発明は基板上に光源電源ライン、面光源、光センサーアレイおよび駆動回路部を一体的に形成したことを特徴とするものである。」（第２頁左上欄第２行〜第４行）
３．対比・判断
　本願の請求項１の発明（以下、前者という）と上記第１引用例記載のもの（以下、後者という）を比較すると、両者は、いずれも発光素子アレイ及び受光素子アレイを有する光結合装置に関するものであって、上記第１引用例の「第二線状発光素子アレイ２９」、「第一線状発光素子アレイ２７」、「受光素子アレイ３９」は、それぞれ本願の「第１の発光素子アレイ」、「第２の発光素子アレイ」、「受光素子アレイ」に対応している。
　また、上記第１引用例における点灯制御回路３５は、「各々の線状発光素子アレイの点灯が重複しないような動作制御を行う」ものであって、これら線状発光素子アレイを交互に点灯させるものであるから、本願の「第１及び第２の回路」に対応しており、さらに詳細には、線状発光素子アレイに対する「消灯あるいは点灯」の指示は本願における「第１あるいは第２のレベル」に対応しており、第二及び第一の線状発光素子アレイの動作制御を行うための信号は本願における「第１及び第２の制御信号」に対応している。
　さらに、上記第１引用例には、第１図（Ａ）に示されるように、第一、第二線状発光素子アレイ２７，２９間に受光素子アレイ３９が介在する配置が記載されており、このような配置は、本願の「前記第１及び第２の発光素子アレイ間に前記受光素子アレイを介在させる」構成に対応している。
　してみると、両者は、
「赤外光を発光する複数の発光素子からなる第１の発光素子アレイと、
　赤色光を発光する複数の発光素子からなる第２の発光素子アレイと、
　それぞれ第１あるいは第２のレベルを有する第１及び第２の制御信号の第２のレベルに応答して前記第１及び第２の発光素子アレイの出力を順次切換える第１及び第２の回路と、
　前記第１及び第２の発光素子アレイの光を受光する受光素子アレイとから構成され、
　前記第１及び第２の発光素子アレイ間に前記受光素子アレイを介在させるようにしたことを特徴とする光結合装置。」
である点で一致しており、
　前者は、「前記第１及び第２の制御信号に同期した第３の制御信号に応答して前記第１及び第２の発光素子アレイの光を受光し、かつ前記第１の発光素子アレイの光を受光すると第１の出力信号を出力し、前記第２の発光素子アレイの光を受光すると第２の出力信号を出力する第３の回路」を有するのに対し、後者では、受光素子アレイ３９における受光、出力を制御する回路については記載されていない点（相違点１）、
　前者は、「前記第１及び第２の制御信号に同期させ、前記第１及び第２の出力信号を順次切換えて出力端子へ転送する第４の回路」を有するのに対し、上記第１引用例には、このような回路については記載されていない点（相違点２）、
　前者は、「第１及び第２の発光素子アレイと受光素子アレイ」を「同一基板上に形成」しているのに対し、上記第１引用例では、２つの線状発光素子アレイ及び受光素子アレイが別々に組み合わされている点（相違点３）、
　前者は、「第１あるいは第２の制御信号のどちらか一方が第１のレベルから第２のレベルになる前に該第１及び第２の制御信号はともに第１のレベルとなる」ように構成しているのに対し、上記第１引用例では、「点灯制御回路３５の動作によって上述の第一線状発光素子アレイ２７を消灯した後、当該回路３５の動作により、第二線状発光素子アレイ２９を点灯する」旨が開示されているものの、２つの線状発光素子アレイがともに消灯することについては明記されていない点（相違点４）、
で相違している。
　上記相違点について検討する。
（相違点１について）
　上記第１引用例において、受光素子１９上には、第一、第二線状発光素子アレイ２７，２９からの反射光ｒ５，ｒ６が別個の時間単位において結像されていることから、受光素子アレイ３９では、別個の時間単位において、上記２つの線状発光素子アレイからの光を受光し、それぞれの線状発光、素子アレイの光に対応した第１，第２の出力信号を出力しているものと認められる。
　ここで、上記別個の時間単位は、第一、第二線状発光素子アレイの発光タイミングに応答したものであり、受光素子アレイ３９における上記受光出力動作を上記発光タイミングに同期させようとすることは、当業者が容易に予測しうるものと認められる。
　そして、上記２つの線状発光素子アレイの発光タイミングに同期した制御信号に応答して上記受光素子１９における上記受光、出力動作を制御する回路を設けることは、当業者が容易になし得る設計変更にすぎない。
（相違点２）
　上記第２引用例に記載されるように、赤色光および赤外光に対する被検査部の反射率に比例した出力ＶＲおよびＶＩＲを、交互点灯制御回路（６）からのタイミングパルスにより駆動されるスイッチング回路（８）により切り換えて分離する回路は既に知られており、上記第１引用例において、点燈制御回路３５からのタイミングパルスに同期させて、受光素子アレイ３９から出力される赤色光、赤外先に対応した出力信号を順次切換える回路を付加することに困難性は認められない。
（相違点３）
　上記第３引用例に示されるように、センサーアレイと光源を別々に組み合わせることに替えて、センサーアレイと光源とを同一基板上に形成することは公知であるから、上記第１引用例における第一、第二線状発光素子アレイ２７，２９及び受光素子アレイ３９を同一基板上に形成することは、当業者が容易に採択しうる設計変更にすぎない。
（相違点４）
　上記第１引用例における点灯制御回路３５は、２つの線状発光素子アレイ２７及び２９の点灯が重複しないような動作制御を行うものであり、上記２つの線状発光素子アレイの重複点灯をより確実に回避するために、これら線状発光素子アレイの両者がともに消灯する期間を設定すること、すなわち、「前記第１あるいは第２の制御信号のどちらか一方が第１のレベルから第２のレベルになる前に該第１及び第２の制御信号はともに第１のレベルとなる」ように制御することは、当業者が容易に採択しうる設計的事項にすぎない。
４．むすび
　したがって、本願の請求項１の発明は、上記第１、第２及び第３引用例に記載された発明に基づいて当業者が容易に発明をすることができたものであるから、特許法第２９条第２項の規定により特許を受けることができない。
　よって、結論のとおり審決する。